(57)【要約】【課題】印刷データが保持している印刷設定情報の内容を簡単に知ること。【解決手段】選択された印刷データの数が１つであり、印刷データが保持する印刷設定情報の内容を変更して印刷を実行する場合、制御部は、選択された印刷データが保持する印刷設定情報と初期設定記憶部に記憶されている初期設定とを比較し、異なる項目については表示制御部がその項目のアイコン部分に印刷データが保持する印刷設定情報の内容を反映して表示させ、アイコンを表示させない。【選択図】図１１
2012138869.tif 000002
【特許請求の範囲】
【請求項１】
印刷データを蓄積して記憶する記憶手段と、
前記記憶手段に記憶された印刷データの選択入力を受け付ける印刷受付手段と、
画像を用紙に印刷する画像形成手段と、
前記印刷受付手段が印刷設定情報を保持する１つの印刷データの選択入力を受け付けた場合、当該印刷設定情報をそのまま用いて印刷するか、又は当該印刷設定情報を変更して印刷するか否かの選択入力を受け付ける設定変更受付手段と、
装置本体の印刷設定情報の初期値を記憶する初期値記憶手段と、
前記設定変更受付手段が前記印刷データの保持する印刷設定情報を変更して印刷する選択入力を受け付けた場合、当該印刷設定情報と前記初期値記憶手段が記憶する印刷設定情報とが異なるか否かを判断する判断手段と、
前記設定変更受付手段が前記印刷データの保持する印刷設定情報を変更して印刷する選択入力を受け付けた場合に印刷設定画面を表示部に表示させるものであり、前記判断手段が前記印刷データの保持する印刷設定情報と前記初期値記憶手段が記憶する印刷設定情報が異なると判断した場合、異なる印刷設定項目については当該印刷データの保持する印刷設定情報の設定内容を前記印刷設定画面内に表示させる表示制御手段と、
前記印刷設定画面を介して印刷設定の設定入力を受け付ける印刷設定受付手段と、
前記設定変更受付手段が前記印刷データの保持する印刷設定情報をそのまま用いて印刷する選択入力を受け付けた場合は当該印刷設定情報を用いて前記画像形成手段に対して前記印刷データの印刷を行わせるものであり、前記印刷データの保持する印刷設定情報を変更して印刷する選択入力を受け付けた場合は前記印刷設定受付手段が受け付けた印刷設定を用いて前記画像形成手段に対して前記印刷データの印刷を行わせる制御を行う印刷制御手段と、
を備えた画像形成装置。
【請求項２】
前記表示制御手段は、前記印刷データが保持する印刷設定情報と前記初期値記憶手段に記憶されている印刷設定情報のうち同じ設定項目については当該設定項目を表した箇所をアイコン表示するものであり、異なる設定項目についてはアイコン表示をせずに当該印刷データが保持する印刷設定情報の設定内容を表示させるものである請求項１に記載の画像形成装置。
【発明の詳細な説明】
【技術分野】
【０００１】
本発明は、画像データを蓄積して保存する文書ボックスを備えた画像形成装置に関するものである。
【背景技術】
【０００２】
特許文献１及び２に記載されているように、近年のデジタル複合機において、スキャナで読み込んだ画像データやパソコン等の外部装置から送信された文書データを蓄積して保存する文書ボックスを備えたものが普及している。この種の画像形成装置では、文書ボックスに保存したデータを印刷したり、ファクシミリ送信したり、パソコンに送信したりすることが可能となっている。
【先行技術文献】
【特許文献】
【０００３】
【特許文献１】特開２００４−０２１３９０号公報
【特許文献２】特開２００４−２２７４７６号公報
【発明の概要】
【発明が解決しようとする課題】
【０００４】
一般的に、パソコンから送信された文書データに関しては、両面印刷やステイプル等の印刷設定情報を付加して文書ボックスに保存される。このような文書データを印刷する際に、元々保持している印刷設定情報を変更して印刷を行うことができるが、ユーザが元々保持している印刷設定情報の内容を知るには知りたい設定項目の操作画面をキー操作を行って表示させる必要があり、即座に印刷設定情報の内容を知ることができず不便であった。
【０００５】
本発明は、上記の問題を解決するためになされたもので、印刷データが保持している印刷設定情報の内容を簡単に知ることができる画像形成装置を提供することを目的とするものである。
【課題を解決するための手段】
【０００６】
請求項１に記載の発明の画像形成装置は、印刷データを蓄積して記憶する記憶手段と、前記記憶手段に記憶された印刷データの選択入力を受け付ける印刷受付手段と、画像を用紙に印刷する画像形成手段と、前記印刷受付手段が印刷設定情報を保持する１つの印刷データの選択入力を受け付けた場合、当該印刷設定情報をそのまま用いて印刷するか、又は当該印刷設定情報を変更して印刷するか否かの選択入力を受け付ける設定変更受付手段と、装置本体の印刷設定情報の初期値を記憶する初期値記憶手段と、前記設定変更受付手段が前記印刷データの保持する印刷設定情報を変更して印刷する選択入力を受け付けた場合、当該印刷設定情報と前記初期値記憶手段が記憶する印刷設定情報とが異なるか否かを判断する判断手段と、前記設定変更受付手段が前記印刷データの保持する印刷設定情報を変更して印刷する選択入力を受け付けた場合に印刷設定画面を表示部に表示させるものであり、前記判断手段が前記印刷データの保持する印刷設定情報と前記初期値記憶手段が記憶する印刷設定情報が異なると判断した場合、異なる印刷設定項目については当該印刷データの保持する印刷設定情報の設定内容を前記印刷設定画面内に表示させる表示制御手段と、前記印刷設定画面を介して印刷設定の設定入力を受け付ける印刷設定受付手段と、前記設定変更受付手段が前記印刷データの保持する印刷設定情報をそのまま用いて印刷する選択入力を受け付けた場合は当該印刷設定情報を用いて前記画像形成手段に対して前記印刷データの印刷を行わせるものであり、前記印刷データの保持する印刷設定情報を変更して印刷する選択入力を受け付けた場合は前記印刷設定受付手段が受け付けた印刷設定を用いて前記画像形成手段に対して前記印刷データの印刷を行わせる制御を行う印刷制御手段とを備えたものである。
【０００７】
この構成によれば、印刷設定情報を変更して印刷したい場合、印刷データが保持する印刷設定情報の内容のうち印刷設定情報の初期値と異なる（デフォルトと異なる）項目が表示部に表示されるため、ユーザは表示部（画面）を通して即座に印刷データの保持する印刷設定情報の内容を知ることができ、印刷設定情報を変更する際の利便性が高まる。
【０００８】
請求項２に記載の発明は、請求項１に記載の画像形成装置であって、記憶されている印刷設定情報のうち同じ設定項目については当該設定項目を表した箇所をアイコン表示するものであり、異なる設定項目についてはアイコン表示をせずに当該印刷データが保持する印刷設定情報の設定内容を表示させるものである。
【０００９】
この構成によれば、印刷データの保持する印刷設定情報の内容のうち印刷設定情報の初期値と同じ（デフォルトと同じ）項目はアイコン表示、異なる（デフォルトと異なる）項目は設定内容の表示という具合に異なる表示形式で表されるため、ユーザは印刷データの保持する印刷設定情報の内容を視覚的に分かりやすく知ることができる。
【発明の効果】
【００１０】
この発明によれば、印刷設定情報を変更して印刷したい場合、印刷データが保持する印刷設定情報の内容のうち印刷設定情報の初期値と異なる（デフォルトと異なる）項目が表示部に表示されるため、ユーザは表示部（画面）を通して即座に印刷データの保持する印刷設定情報の内容を知ることができ、印刷設定情報を変更する際の利便性が高まる。
【図面の簡単な説明】
【００１１】
【図１】画像形成装置の内部構造の概略を示す図。
【図２】画像形成装置の電気的な構成を示すブロック図。
【図３】ボックス内のデータ構成を説明するための図。
【図４】操作表示部の一例を示した図。
【図５】初期設定記憶部のデータ構成を説明するための図。
【図６】ボックスに記憶されているデータの印刷処理の流れを示したフローチャート。
【図７】図６に続く、ボックスに記憶されているデータの印刷処理の流れを示したフローチャート。
【図８】ボックスのボックス名のリスト画面を示した図。
【図９】ボックスに保存されているデータのリスト画面を示した図。
【図１０】印刷データが保持する印刷設定情報を用いるか否かの選択入力を受け付ける画面を示した図。
【図１１】印刷設定画面を示した図。
【図１２】従来の印刷設定画面を示した図。
【発明を実施するための形態】
【００１２】
以下、図面に基づいて、本発明の実施形態につき詳細に説明する。図１は本発明の一実施形態に係る画像形成装置１の内部構造の概略を示す図である。画像形成装置１は例えば、コピー、プリンタ及びファクシミリ機能を有するデジタル複合機に適用することができる。画像形成装置１はタンデム方式であり、装置本体１００と装置本体１００の上に配置された画像読取部２００を備える。
【００１３】
画像読取部２００はＣＣＤ(Charge Coupled Device)等によって画像(文字、図、写真等)を読み取り、画像データとして出力する。画像読取部２００はカラー画像を読み取る機能を有する。これによりコピー及びファクシミリの送信が可能となる。
【００１４】
装置本体１００は用紙貯留部１１０、画像形成部１３０及び定着部１６０を備える。
【００１５】
用紙貯留部１１０は装置本体１００の最下部に配置されており、用紙Ｐの束を貯留することができる用紙トレイ１１１を備えている。用紙トレイ１１１は装置本体１００に差し込んで装着される。用紙Ｐを補給するときは装置本体１００から用紙トレイ１１１を引き出す。用紙トレイ１１１に貯留された用紙Ｐの束において、最上位の用紙Ｐがピックアップローラ１１３の駆動により、用紙搬送路１１５へ向けて繰り出される。用紙Ｐは用紙搬送路１１５を通って、画像形成部１３０へ搬送される。
【００１６】
画像形成部１３０は搬送されてきた用紙Ｐにトナー像を形成する。画像形成部１３０はトナー像を転写ベルト１３１に転写する順番に従って配置された、マゼンタ用ユニット１３３Ｍ、シアン用ユニット１３３Ｃ、イエロー用ユニット１３３Ｙ、ブラック用ユニット１３３Ｋを備える。これらのユニットは同様の構成を有しており、マゼンタ用ユニット１３３Ｍを例にして説明する。
【００１７】
マゼンタ用ユニット１３３Ｍは感光体ドラム１３５及び露光装置１３７を備える。感光体ドラム１３５の周りには帯電器１３９、現像装置１４１及びクリーナ１４３が配置されている。帯電器１３９は感光体ドラム１３５の周面を一様に帯電させる。露光装置１３７は画像データ(画像読取部２００から出力された画像データ、パソコンから送信された画像データ、ファクシミリ受信の画像データ等)の中でマゼンタのデータに対応する光を生成し、一様に帯電された感光体ドラム１３５の周面に照射する。これにより、感光体ドラム１３５の周面にはマゼンタのパターンの静電潜像が形成される。この状態で感光体ドラム１３５の周面に現像装置１４１からマゼンタトナーを供給することにより、周面にはマゼンタのパターンのトナー像が形成される。
【００１８】
転写ベルト１３１は感光体ドラム１３５と１次転写ローラ１４５により挟まれた状態で時計周りに動くことができる。マゼンタのパターンのトナー像は感光体ドラム１３５から転写ベルト１３１に転写される。感光体ドラム１３５の周面に残っているマゼンタトナーはクリーナ１４３によって除去される。以上がマゼンタ用ユニット１３３Ｍの説明である。
【００１９】
マゼンタ用ユニット１３３Ｍ、シアン用ユニット１３３Ｃ、イエロー用ユニット１３３Ｙ、ブラック用ユニット１３３Ｋの上方には、対応する色のトナーを収容したコンテナ、即ち、マゼンタトナー用コンテナ１４７Ｍ、シアントナー用コンテナ１４７Ｃ、イエロートナー用コンテナ１４７Ｙ、ブラックトナー用コンテナ１４７Ｋが配置されている。各色の現像装置１４１には対応するコンテナからトナーが補給される。
【００２０】
上述したように転写ベルト１３１にはマゼンタのパターンのトナー像が転写され、このトナー像に重ねてシアンのパターンのトナー像が転写され、同様に、イエローのパターンのトナー像、ブラックのパターンのトナー像が重ねて転写される。これにより転写ベルト１３１にカラーのトナー像が形成される。このように各色のパターンのトナー像を転写ベルト１３１に重畳して転写することにより、転写ベルト１３１にカラーのトナー像が形成される。カラーのトナー像は２次転写ローラ１４９によって、先ほど説明した用紙貯留部１１０から搬送されてきた用紙Ｐに転写される。
【００２１】
カラーのトナー像が転写された用紙Ｐは定着部１６０に送られる。定着部１６０は加熱ローラ１６１と定着ローラ１６３に定着ベルト１６５が掛けられた構造を有する。定着ベルト１６５は定着ローラ１６３と加圧ローラ１６７により挟まれている。これらのローラによって、カラーのトナー像が転写された用紙Ｐが挟まれる。これにより、カラーのトナー像と用紙Ｐに熱と圧力が加えられて、カラーのトナー像を用紙Ｐに定着させる。用紙Ｐは排紙トレイ１６９に排紙される。
【００２２】
図２は図１に示す画像形成装置１の電気的な構成を示すブロック図である。画像形成装置１は記憶部１００、画像読取部２００、画像形成部１３０、制御部３００、操作表示部４００及び通信部５００がバスによって相互に接続された構成を有する。画像形成部１３０及び画像読取部２００に関しては図１で説明しているので、説明を省略する。
【００２３】
記憶部１００は、例えばハードディスクやフラッシュメモリ等の記憶媒体からなり、画像読取部２００が読み取った画像データやパソコン等から通信部５００が受信した文書データ等を印刷データとして蓄積して保存するボックス１１１を記憶した文書ボックス群１１０を有している。ボックス１１１に保存されたデータはいつでも印刷可能であり、複数のデータを一度に印刷する一括印刷やプリントジョブの管理、プレビュー機能等の様々な機能に対応することができる。また、ユーザ毎やグループ毎、部署単位等でボックス１１１を使い分けることができる。
【００２４】
図３は、ボックス１１１のデータ構成を説明するための図である。ボックス１１１に保存される印刷データには、印刷設定情報を保持するデータと保持しないデータが存在することがある。一般的には、パソコン等から送信された文書データは、ユーザがパソコン上で設定した用紙サイズ、両面印刷、ステイプル指定等の印刷設定情報と共に送信されるため、文書データにこの印刷設定情報を付加した状態でボックス１１１内に保存されるが、画像読取部２００が読み取った画像データには印刷設定情報が付加されずに保存されるためである。図３の場合、ファイルａａａ及びファイルｂｂｂは印刷設定情報を保持しているが、ファイルｃｃｃ及びファイルｄｄｄは印刷設定情報を保持していない。
【００２５】
図４は操作表示部４００の一例を示した図である。操作表示部４００にはハードキーからなる操作キーが設けられている。具体的にはスタートキー４０１、テンキー４０２、ストップキー４０３、リセットキー４０４、コピー、プリンタ、スキャナ及びファクシミリを切り換えるための機能切換キー４０５等が設けられている。また、文書ボックスキー４０７は、後述する文書ボックスに関する操作を行う際に使用されるキーである。
【００２６】
そして、操作表示部４００にはタッチパネル機能を備えた表示パネル４０６が設けられている。表示パネル４０６は、ＬＣＤ（Liquid Crystal Display）やＥＬＤ（Electronic Luminescent Display）等によって構成され、各種操作及び動作内容等が表示されると共にソフトキーからなる操作キーが表示される。表示パネル４０６は、ユーザによるタッチ操作がなされたら、タッチ位置を検出して検出信号を制御部３００へ出力する。
【００２７】
通信部５００はファクシミリ通信部５０１及びネットワークＩ／Ｆ部５０３を備える。ファクシミリ通信部５０１は相手先ファクシミリとの電話回線の接続を制御するＮＣＵ(Network Control Unit)及びファクシミリ通信用の信号を変復調する変復調回路を備え、電話回線５０５に接続される。ネットワークＩ／Ｆ部５０３は、ＬＡＮ５０７に接続されたパソコン等の端末装置との間で通信を実行するための通信インターフェイス回路であり、ＬＡＮ(Local Area Network)５０７に接続される。
【００２８】
制御部３００は、ＣＰＵ(CentralProcessing Unit)、ＲＯＭ(Read Only Memory)、ＲＡＭ(Random Access Memory)及び画像メモリ等によって構成される。ＣＰＵは画像形成装置１を動作させるために必要な制御を、画像形成装置１を構成する上記ハードウェアに対して実行する。ＲＯＭは画像形成装置１の動作の制御に必要なソフトウェアを記憶している。ＲＡＭはソフトウェアの実行時に発生するデータの一時的な記憶及びアプリケーションソフトの記憶等に利用される。画像メモリは画像データ(画像読取部２００から出力された画像データ、通信部５００が受信した文書データ等)を一時的に記憶する。
【００２９】
また、制御部３００は、表示制御部３０１、印刷制御部３０２及び初期設定記憶部３０３を有する。表示制御部３０１は、表示パネル４０６に対して各種操作及び動作内容等のメッセージや、操作キーの表示を行わせるための制御を行う。印刷制御部３０２は、ボックス１１１に保存された印刷データを印刷する際の印刷制御を画像形成部１３０に対して行う。
【００３０】
初期設定記憶部３０３は、画像形成装置１の印刷設定のデフォルト値（初期値）を記憶する。図６は、初期設定記憶部３０３の記憶内容を説明するための図である。初期設定記憶部３０３は、例えば、用紙選択、縮小／拡大、濃度、両面／分割、ページ集約、ステイプル／パンチ等の使用頻度の高い印刷設定の値をデフォルト値として記憶する。この初期設定記憶部３０３に記憶されるデフォルト値は、例えば工場出荷前に予め記憶される。
【００３１】
以下、印刷設定情報を保持する１つの印刷データを印刷する方法について詳しく説明する。図６及び７は、本実施の形態におけるボックス１１１に保存されている印刷データの印刷処理の流れを示したフローチャートである。ユーザによって操作表示部４００の文書ボックスキー４０７が押下されると（ステップＳ１１；ＹＥＳ）、表示制御部３０１は、表示パネル４０６に画面６００を表示させる（ステップＳ１２）。図８は、文書ボックス群１１０に記憶されているボックスのリスト画面６００である。ユーザは画面６００に表示されたボックスの中から所望のボックスをタッチパネル機能を用いて選択する。
【００３２】
その後、ユーザによって「開く」キー６０２が選択されると（ステップＳ１３；ＹＥＳ）、表示制御部３０１は図９に示す画面６１０を表示させる（ステップＳ１４）。図９は、画面６００にて選択されたボックスに保存されている印刷データのリスト画面６１０である。ユーザは画面６１０に表示された印刷データの中から印刷したいデータを選択する。また、ユーザによるタッチ操作に応答して表示制御部３０１は選択された印刷データのチェックボックス６１１にチェックマークを表示させる。
【００３３】
印刷データの選択が終わり、ユーザによって「印刷」キー６１２が選択されると（ステップＳ１５；ＹＥＳ）、印刷制御部３０２は選択された印刷データをボックス１１１から読み出し、制御部３００が有するＲＡＭ等に一時記憶させる。そして、制御部３００は選択された印刷データの数を判断する（ステップＳ１６）。選択された印刷データの数が複数である場合（ステップＳ１６；複数）、制御部３００は別処理を行う。簡単に説明すると、制御部３００は選択された複数の印刷データをＲＡＭに一時記憶し、各印刷データは保持する印刷設定情報に従って印刷が行われる。
【００３４】
一方、選択された印刷データの数が１つである場合（ステップＳ１６；１つ）、表示制御部３０１は図１０に示すような画面６２０を表示パネル４０１に表示させる。図１０は、印刷データの保持する印刷設定情報を用いるか否かの選択入力を受け付ける画面６２０である。キー６２１は、印刷データが保持する印刷設定情報をそのまま用いて印刷を実行する際に選択するキーである。キー６２２は、印刷データが保持する印刷設定情報の内容を変更して印刷を実行する際に選択するキーである。
【００３５】
ユーザがキー６２１を選択した場合（ステップＳ１７；ＮＯ）、印刷制御部３０２はＲＡＭに一時記憶されている印刷データの印刷設定情報の変更は行わず、続いてスタートキー４０１が押下されると（ステップＳ１９；ＹＥＳ）、印刷制御部３０２はＲＡＭに一時記憶されている印刷データを画像形成部１３０に出力して印刷を実行させる。これにより、画像形成部１３０は印刷データが保持する印刷設定情報を用いて印刷データの印刷を行う。つまり印刷データが保持する印刷設定情報がそのまま用いられて印刷が行われる（ステップＳ２０）。一方、ユーザがキー６２２を選択した場合（ステップＳ１７；ＹＥＳ）、表示制御部３０１は図１１に示すような印刷設定画面６３０を表示パネル４０１に表示させる。図１１は、印刷設定情報を変更して印刷する際に表示される印刷設定画面６３０である。
【００３６】
従来、印刷設定情報を変更して印刷したいとき、図１２に示すような印刷設定画面６４０が表示され、印刷データが保持する印刷設定情報の内容を知るために所定のキー操作が必要となり煩わしかった。例えば、図３に示すファイルａａａの印刷設定情報のうち「用紙サイズ」について知るために、ユーザは設定アイコン６４１の用紙選択アイコンを選択して、次に表示される用紙選択画面にて初めて設定内容を知ることができた。このようにユーザはファイルａａａが持つ印刷設定情報を即座に知ることができず不便であった。
【００３７】
そこで、制御部３００は、ファイルａａａが保持する印刷設定情報と初期設定記憶部３０３に記憶されているデフォルト値とを比較して設定内容が異なるか否かを判断する。設定内容が異なる場合、表示制御部３０１は異なる項目についてはその項目のアイコン部分にファイルａａａが保持する印刷設定情報の内容を反映して表示させ、アイコンを表示させない。
【００３８】
ファイルａａａは「Ａ４ヨコ、両面、ステイプル」という印刷設定情報を保持しているため、表示制御部３０１は印刷設定画面６３０の設定アイコン６３１のうち用紙選択アイコンを「Ａ４ヨコ」、両面／分割アイコンを「両面」、ステイプル／パンチアイコンを「ステイプル」として印刷設定情報の内容表記を行い、更にそれぞれの内容に即したマークも表示させる。ファイルａａａの保持する印刷設定情報とデフォルト値とが同じ内容である項目のアイコン、つまり縮小／拡大アイコン６３１ａ、濃度アイコン６３１ｂ及びページ集約アイコン６３１ｃについてはアイコン表示される。このように、印刷データが保持する印刷設定情報の内容とデフォルト値とを比較して、異なる項目についてはアイコンを表示せずに印刷データが保持する印刷設定情報の内容を表示する。こうすることにより、ユーザは印刷データが保持する印刷設定情報の内容を視覚的に分かりやすく知ることができる。
【００３９】
そして、印刷設定画面６３０上にてユーザが例えば濃度アイコン６３１ｂを選択すると、表示制御部３０１は濃度設定画面（不図示）を表示させる。ユーザはこの濃度設定画面を介して濃度調整を行う。尚、ファイルａａａが持つ印刷設定情報の内容を変更したいとき、ユーザは変更したい内容に従って機能タブ６３２を選択する。この機能タブ６３２が選択されると、表示制御部３０１は選択されたタブの種類に応じた設定画面を表示させる。例えば用紙を「Ａ４ヨコ」ではなく「Ａ４タテ」にしたいとき、ユーザは機能タブ６３２の「原稿／用紙／仕上げ」タブを選択する。このタブが選択されると、表示制御部３０１は用紙選択画面（不図示）を表示させる。ユーザはこの用紙選択画面を介して用紙設定を変更することができる。
【００４０】
タッチパネル機能を備えた表示パネル４０６は、ユーザによるタッチ操作がなされたら、タッチ位置を検出して検出信号を制御部３００へ出力するが、印刷制御部３０２はこの検出信号に基づいてＲＡＭに一時記憶されている印刷データの印刷設定情報を変更する（ステップＳ１８）。ここで「印刷設定情報を変更する」とは、印刷制御部３０２がＲＡＭに一時記憶されている印刷データの印刷設定情報をステップＳ１９にて設定された印刷設定情報に変更することを意味する。
【００４１】
そして、ユーザによってスタートキー４０１が押下されると（ステップＳ１９；ＹＥＳ）、印刷制御部３０２はＲＡＭに一時記憶されている印刷データを画像形成部１３０に出力して印刷を実行させる。これにより、画像形成部１３０は印刷データが保持する印刷設定情報を用いて印刷データの印刷を行う。つまりステップＳ１８にて設定変更された印刷設定によって印刷データが印刷される（ステップＳ２０）。
【００４２】
以上、説明したように、印刷設定情報を変更して印刷したい場合、制御部３００が印刷データの保持する印刷設定情報の内容と初期設定記憶部３０３に記憶されている初期設定とを比較して、異なる項目については表示制御部３０１がアイコンを表示せずに印刷データが保持する印刷設定情報の内容を反映して表示する。こうすることにより、ユーザは印刷データが保持する印刷設定情報の内容を視覚的に分かりやすく知ることができ、印刷設定情報を変更する際の利便性が高まる。
【符号の説明】
【００４３】
１        画像形成装置
１００    記憶部
１１０    文書ボックス群
１１１    ボックス（記憶手段）
１３０    画像形成部（画像形成手段）
２００    画像読取部
３００    制御部（判断手段）
３０１    表示制御部（表示制御手段）
３０２    印刷制御部（印刷制御手段）
３０３    初期設定記憶部（初期値記憶手段）
４００    操作表示部（印刷受付手段、設定変更受付手段、印刷設定受付手段）
４０１    表示パネル（表示部）
５００    通信部
【図１】
2012138869.tif 000003
【図２】
2012138869.tif 000004
【図３】
2012138869.tif 000005
【図４】
2012138869.tif 000006
【図５】
2012138869.tif 000007
【図６】
2012138869.tif 000008
【図７】
2012138869.tif 000009
【図８】
2012138869.tif 000010
【図９】
2012138869.tif 000011
【図１０】
2012138869.tif 000012
【図１１】
2012138869.tif 000013
【図１２】
2012138869.tif 000014